(57)【要約】【課題】客観的かつ正確なシートの透光性が測定できる装置を提供する。【解決手段】本考案のシートの透光性測定装置は、発光器(1)と、発光器(1)に載せたマーク入り透明フィルム(2)と、透明フィルム(2)から隙間を置いてスライド移動可能に載置した標準シート用窓付きプレート(3)と測定サンプルシート用窓付きプレート(4)とを含み、透明フィルム(2)のマーク(10)は、大きいマークから小さいマークまで一方向に沿って連続的又は段階的に配列されており、発光器(1)のライトを点灯した状態で、標準シート用窓付きプレート(3)と測定サンプルシート用窓付きプレート(4)とを大きいマーク側から小さいマーク側に移動させ、前記両プレートに貼り付けられているシート(3a-3e,4a-4e)を通してマーク(10)を対比観察することにより、シート(4a-4e)の透光性を測定する。【選択図】図１
0003117395.tif 000002
【実用新案登録請求の範囲】
【請求項１】
シートの透光性を測定する装置であって、
発光器と、前記発光器に載せたマーク入り透明フィルムと、前記透明フィルムから隙間を置いてスライド移動可能に載置した標準シート用窓付きプレートと測定サンプルシート用窓付きプレートとを含み、
前記透明フィルムのマークは、大きいマークから小さいマークまで一方向に沿って連続的又は段階的に配列されており、
前記発光器のライトを点灯した状態で、前記標準シート用窓付きプレートと測定サンプルシート用窓付きプレートとを大きいマーク側から小さいマーク側に移動させ、前記両プレートに貼り付けられているシートを通してマークを対比観察することにより、シートの透光性を測定することを特徴とするシートの透光性測定装置。
【請求項２】
前記シートは布であり、前記透明フィルムのマークは、布の経糸と緯糸方向以外の方向にスリットを有する請求項１に記載のシートの透光性測定装置。
【請求項３】
前記発光器の下にさらに基板を置き、前記発光器の両外側であって前記基板の両側部に溝付き側板を固定し、
前記溝付き側板の溝内に入る支持板を標準シート用窓付きプレート及び測定サンプルシート用窓付きプレートに固定し、前記溝内を前記支持板が移動することによりスライド移動する請求項１に記載のシートの透光性測定装置。
【請求項４】
前記標準シート用窓付きプレートの窓部には透光性が異なる標準シートを順番に配置し、前記測定サンプルシート用窓付きプレートの窓部には一枚の連続シートからなるサンプルを配置する請求項１に記載のシートの透光性測定装置。
【考案の詳細な説明】
【技術分野】
【０００１】
本考案はシートの透光性測定装置に関する。さらに詳しくは、標準シートと対比観察することにより、測定すべきシートの透光性を測定する装置に関する。
【背景技術】
【０００２】
シートの透光性は、薄いシートの場合に問題となる。例えば水着の場合は、薄い布地を使用するので人体が透けて見え、着用者に不快感を与える。水着の場合、例えばポリエステル繊維のような熱可塑性合成繊維のポリマー製造時に酸化チタンを多く加えて（ダル、フルダルタイプ）遮光性を上げることにより改善できる。夏用の紳士服、婦人服、ユニホーム、学生服を含む制服などの場合、透光性が高いと下に着ているシャツが透けて見えたり、スカートから透けて人体が見えるなどという問題が生ずる。
【０００３】
従来、透光性を観察するためには、太陽光線に当てて透かして見る感性的方法程度のものしかなく、客観的な測定方法は存在しなかった。
【０００４】
したがって、好適な透光性のある布を開発するために、透光性測定装置の開発が要請されている。その他、布に限らず、例えば紙、不織布、樹脂シート、紙幣などのシート状物の透光性測定装置が要請されている。
【０００５】
下記の引用文献は、本考案とは直接関係しないが、蛍光灯を用いた布の幅測定装置（引用文献１）、透過光受光器により医薬用貼着布の外観検査方法（引用文献２）である。
【特許文献１】特開平１−１３２９０４号公報
【特許文献２】特開平１−０９６５３６号公報
【考案の開示】
【考案が解決しようとする課題】
【０００６】
本考案は、前記従来の問題を解決するため、客観的かつ正確なシートの透光性が測定できる装置を提供する。
【課題を解決するための手段】
【０００７】
本考案のシートの透光性測定装置は、発光器と、前記発光器に載せたマーク入り透明フィルムと、前記透明フィルムから隙間を置いてスライド移動可能に載置した標準シート用窓付きプレートと測定サンプルシート用窓付きプレートとを含み、前記透明フィルムのマークは、大きいマークから小さいマークまで一方向に沿って連続的又は段階的に配列されており、前記発光器のライトを点灯した状態で、前記標準シート用窓付きプレートと測定サンプルシート用窓付きプレートとを大きいマーク側から小さいマーク側に移動させ、前記両プレートに貼り付けられているシートを通してマークを対比観察することにより、シートの透光性を測定することを特徴とする。
【考案の効果】
【０００８】
本考案によれば、発光器に載せたマーク入り透明フィルムのマークは、大きいマークから小さいマークまで一方向に沿って連続的又は段階的に配列されている。そこで、発光器のライトを点灯した状態で、標準シート用窓付きプレートと測定サンプルシート用窓付きプレートとを大きいマーク側から小さいマーク側に移動させると、光の明るさ（照度）がだんだんと明るくなる。このため、両プレートに貼り付けられているシートを通してマークを視覚により対比観察すると、大きいマーク側では標準シートとおおまかな照合しかできなかったものが、小さいマーク側では正確な照合ができるようになる。したがって、客観的かつ正確なシートの透光性が測定できる。
【考案を実施するための最良の形態】
【０００９】
本考案においては、標準シートと測定すべきサンプルとして布を例に挙げ、図面を用いて説明する。図１は本考案の布の透光性（以下「透け感」ともいう。）を測定する装置の一実施形態である。
（１）基本的構成
この測定装置は、発光器１と、発光器１に載せたマーク１０入り透明フィルム２と、透明フィルム２から隙間をあけてスライド移動可能に載置した標準布用窓付きプレート３と測定サンプル布用窓付きプレート４とから基本的に構成されている。この例においては、標準布用窓付きプレート３には５つの窓３ａ〜３ｅが空いており、予め決めておいた標準布１級〜５級の布が配置されている。測定サンプル布用窓付きプレート４にも前記窓３ａ〜３ｅと対比する位置に窓４ａ〜４ｅが空けられており、この窓４ａ〜４ｅには測定するべきサンプル布が１枚連続した形態で配置されている。
（２）透明フィルム
透明フィルム２のマーク１０は、大きいマークから小さいマークまで一方向に沿って連続的又は段階的に配列されている。この例においては、上に大きいマークを配置し、下へ向かってマークの大きさは順番に小さくなっている。
（３）測定方法
発光器１のライトを点灯した状態で、標準布用窓付きプレート３と測定サンプル布用窓付きプレート４とを、大きいマーク側から小さいマーク側に、すなわち上から下に向かってに移動させ、両プレート３，４に貼り付けられている布３ａ〜３ｅ，４ａ〜４ｅを通してマーク１０に注目しながら布の透け感を視覚により対比観察する。標準布用窓付きプレート３と測定サンプル布用窓付きプレート４とを大きいマーク側から小さいマーク側に移動させると、光の明るさ（照度）がだんだんと明るくなる。このため、両プレート３，４に貼り付けられている布を通してマークを対比観察すると、大きいマーク側では標準布とおおまかな照合しかできなかったものが、小さいマーク側では正確な照合ができるようになる。これにより正確な布の透け感が測定できる。対比観察は視覚でもよいし、受光装置で行ってもよい。
（４）マーク
透明フィルム２のマークの形状はどのようなものであってもよい。対象物が布の場合、マーク１０は布の経糸と緯糸方向以外の方向にスリットを有するのが好ましい。織物布は経糸と緯糸で構成されており、経糸と緯糸方向にスリットを設けた場合は判別しにくいからである。スリット入りマークとしては、例えばＣの文字が好適である。もちろん逆Ｃの文字であってもよい。
（５）スライド移動手段
スライド移動手段しては、発光器１の下にさらに基板７を置き、発光器１の両外側であって基板７の両側部に溝付き側板８を固定し、溝付き側板８の溝９内に入る支持板５，６を標準布用窓付きプレート３及び測定サンプル布用窓付きプレート４に固定し、溝９内を支持板５，６が移動することによりスライド移動するのが好ましい。
【実施例】
【００１０】
以下実施例を用いて本考案の布の透け感検査装置をさらに具体的に説明する。なお、本考案は下記の実施例に限定されない。
【００１１】
（実施例１）
（１）準備
実施例１の測定装置を図１に示す。前記した一実施形態で説明した部分は共通するので説明は省略する。図１に示すように、縦３００ｍｍ、横２００ｍｍの発光領域を有する発光器１の上に、縦３００ｍｍ、横２００ｍｍのマーク１０入り透明フィルム２を載せた。透明フィルム２に記入されたマーク１０は図４に示すように、もっと大きいマーク１０ａから最も小さいマーク１０ｌまで１２段階連続的に小さくなるように形成した。マーク１０ａの大きさは外形直径が２３ｍｍ、線幅４ｍｍ、スリット幅４ｍｍとした。マーク１０ｂの大きさは外形直径が１５ｍｍ、線幅３ｍｍ、スリット幅３ｍｍとした。マーク１０ｌの大きさは外形直径が２ｍｍ、線幅０．５ｍｍ、スリット幅０．５ｍｍとした。
【００１２】
図１に戻り、前記透明フィルム２から６ｍｍの隙間をあけて標準布用窓付きプレート３と測定サンプル布用窓付きプレート４を配置した。標準布用窓付きプレート３には、次の１級〜５級の標準布を窓３ａ〜３ｅに設置した。設置方法は、標準布用窓付きプレート３の下に透明アクリル樹脂からなる標準布設置プレート１３の上に各標準布を置き、その上に標準布用窓付きプレート３に形成されている穴を、標準布設置プレート１３に形成されている突起１５ａ〜１５ｅに落とし込んで固定した。標準布用窓付きプレート３は縦７５ｍｍ、横３００ｍｍ、窓３ａ〜３ｅは縦５０ｍｍ、横３２ｍｍ、窓間のスペース５ｍｍとした。
（ｉ）１級標準布
材質：ウール１００％
織物組織：平織物
糸番手：経糸緯糸とも２／６０番手（双糸）
撚り数：Ｓ８３０回／Ｚ５８０回（ｍ当り）とＺ４２０回／Ｚ５８０回（Ｓ撚りとＺ撚りの１本交互配列）
経糸密度：６０本／ｉｎｃｈ
緯糸密度：５１本／ｉｎｃｈ
目付け：２０５ｇ／ｍ2
（ii）２級標準布
材質：ウール５５％／ポリエステル４５％
織物組織：平織物
糸番手：        経糸緯糸とも１／４８番手の純毛単糸と１６７ｄｔ（ポリエステル１００％フィラメント）の撚り糸交撚糸
撚り数：１／４８単糸は５８０回／ｍ，この単糸とフィラメントをＳ８００回／ｍで撚糸したものとＺ５２０回／ｍ撚糸したものを１本交互配列）
経糸密度        ：５６．５本／ｉｎｃｈ
緯糸密度        ：５３本／ｉｎｃｈ
目付け：１９５ｇ／ｍ2
（iii）３級標準布
材質：ウール５０％／ポリエステル５０％
織物組織：平織物
糸番手：        経糸緯糸とも２／４８番手（双糸）
撚り数：Ｓ５６０回／Ｚ５８０回
経糸密度        ：５６本／ｉｎｃｈ
緯糸密度        ：５３本／ｉｎｃｈ
目付け：１９５ｇ／ｍ2
（iv）４級標準布
材質：ウール５０％／ポリエステル５０％
織物組織：平織物
糸番手：        経糸２／５６番手（双糸）、緯糸２／４８番手（双糸）
撚り数：経糸Ｓ６１０回／Ｚ６３０回、緯糸Ｓ５６０回／Ｚ５８０回
経糸密度        ：７４本／ｉｎｃｈ
緯糸密度        ：４８．５本／ｉｎｃｈ
目付け：２０５ｇ／ｍ2
（ｖ）５級標準布
材質：ウール１００％
織物組織：綾織物
糸番手：        経糸２／６０（双糸）、緯糸１／５２（単糸）
撚り数：経糸Ｓ６４０回／Ｚ６５０回、緯糸Ｓ５８０回
経糸密度        ：５６．５本／ｉｎｃｈ
緯糸密度        ：５３本／ｉｎｃｈ
目付け：２１２ｇ／ｍ2
なお、１級〜５級は、対象製品によって異ならせることができる。例えば、紳士服地、婦人服地、上着、中着、下着、パジャマ、水着など、それぞれの製品に見合った１級〜５級を標準布とすることができる。
【００１３】
次にサンプル布１枚を透明アクリル樹脂からなるサンプル布設置プレート１４の上に置き、その上にサンプル布用窓付きプレート４を標準布用窓付きプレート３と同様に設置した。
（２）測定操作方法
図２に示すように、まず発光器１のスイッチ１１をオンしてライトを点灯させた。発光領域の発光強度は1400cd/ｍ2であった。１２は電線である。
【００１４】
標準布用窓付きプレート３とサンプル布用窓付きプレート４は上部に存在させる。この領域は大きなマークが透明フィルムに描かれているので、明るさは下部に比べて低い。したがって、標準布３ａ〜３ｅとサンプル布４ａ〜４ｅを比較すると、サンプル布はおおまかに２級又は３級の標準布と近似していることが分かる。
【００１５】
次に図３に示すように標準布用窓付きプレート３とサンプル布用窓付きプレート４を下部にスライド移動させる。この領域は小さなマークが透明フィルムに描かれているので、明るさは上部に比べて相対的に明るくなる。この状態で両プレートに貼り付けられている布を通してマークを視覚により対比観察すると、２級の位置が最も近似していることが分かる。このようにして、客観的かつ正確な布の透け感が測定できる。
【産業上の利用可能性】
【００１６】
本考案は布の透け感測定装置を提供したが、本考案は布に限らず、例えば紙、不織布、樹脂シート、メッシュ、紙幣などシート状物であればどのようなものにも応用できる。
【図面の簡単な説明】
【００１７】
【図１】本考案の一実施例における布の透け感を測定する装置の斜視図。
【図２】同、発光器を発光させ、測定初期の斜視図。
【図３】同、測定中の斜視図。
【図４】同、正面図。
【符号の説明】
【００１８】
１  発光器
２  透明フィルム
３  標準布用窓付きプレート
３ａ〜３ｅ  標準布
４  サンプル布用窓付きプレート
４ａ〜４ｅ  サンプル布
５，６  支持板
７  基板
８  溝付き側板
９  溝
１０  マーク
１１  スイッチ
１２  電線
１３  標準布設置プレート
１４  サンプル布設置プレート
１５ａ〜１５ｅ  突起
【図１】
0003117395.tif 000003
【図２】
0003117395.tif 000004
【図３】
0003117395.tif 000005
【図４】
0003117395.tif 000006